(57)【要約】【課題】電気分解時には電気分解で発生する酸素、水素および塩素等の気泡が前記電極保持具に付着し、電極保持具が四角柱形状であるため気泡が抜け難く、電極表面を覆い電解効率を低下させてしまう原因となっていた。また、時間経過とともに前記電極保持具の表面にはカルシウムやマグネシウム等の電解析出物が付着堆積し、この電解析出物が前記電極を繋いでしまうと導通してしまい電気分解できない原因となっていた。。【解決手段】一対の棒状電極を保持する一対の保持部と、該一対の保持部を繋ぐ連繋部とを有する非導電性の電極保持具において、前記連繋部を保持部より幅狭に形成したことを特徴としている【選択図】        図１
2004202389.tif 000002
【特許請求の範囲】
【請求項１】
一対の棒状電極を保持する一対の保持部と、該一対の保持部を繋ぐ連繋部とを有する非導電性の電極保持具において、
前記連繋部を保持部より幅狭に形成したことを特徴とする電極保持具。
【請求項２】
前記保持部の上部が連繋部で繋がれていることを特徴とする請求項１記載の電極保持具。
【請求項３】
前記保持部を上部に向けてテーパ状に形成したことを特徴とする請求項１記載の電極保持具。
【請求項４】
前記連繋部が円柱形状であることを特徴とする請求項１記載の電極保持具。
【請求項５】
前記連繋部に溝が設けられていることを特徴とする請求項１記載の電極保持具。
【請求項６】
前記連繋部が逆Ｕ字状に形成されていることを特徴とする請求項１記載の電極保持具。
【発明の詳細な説明】
【０００１】
【発明が属する技術分野】
本発明は、被処理水と接触する一対の電極を保持する電極保持具に関するものである。
【０００２】
【従来の技術】
従来の被処理水と接触する一対の電極を保持する電極保持具は図５乃至図７に示す如く、一対の電極３０が水回路内に配設され水回路の通水に合わせて電源３２から電圧をかけることで一対の電極３０間で被処理水を電気分解するか、もしくは電極から溶出するイオン（例えば銀イオン）を被処理水に含有させる。
前記一対の電極３０は夫々の一端を樹脂製の電極保持具３４で保持され繋がれる。
【特許文献１】
実開昭５６−８４０９０号公報
【０００３】
【発明が解決しようとする課題】
しかしながら、前記電極保持具３４は四角柱形状のものであり、図６および図７に示す如く、電気分解時には電気分解で発生する酸素、水素および塩素等の気泡３６が前記電極保持具３４に付着し、電極保持具３４が四角柱形状であるため気泡３６が抜け難く、電極３０表面を覆い電解効率を低下させてしまう原因となっていた。また、時間経過とともに前記電極保持具３４の表面にはカルシウムやマグネシウム等の電解析出物３８が付着堆積し、この電解析出物３８が前記電極３０を繋いでしまうと導通してしまい電気分解できない原因となっていた。
【０００４】
この発明は、前述した従来の技術に内在している前記欠点に鑑み、これを好適に解決するべく提案されたものであって、電気分解で発生する気泡や時間経過とともに付着堆積する電解析出物によって電気分解を阻害され難い電極保持具を提供することを目的とする。
【０００５】
【課題を解決するための手段】
前記課題を克服し、所期の目的を達成するために、本発明に係る電極保持具は、一対の棒状電極を保持する一対の保持部と、該一対の保持部を繋ぐ連繋部とを有する非導電性の電極保持具において、前記連繋部を保持部より幅狭に形成したことを特徴としている。
【０００６】
【発明の実施の形態】
次に本発明に係る電解槽につき、好適な実施形態を挙げて、添付図面を参照しながら以下説明する。
【０００７】
図１は本発明に係る第１の実施形態であって、一対の電極１０を所定間隔に保持する樹脂製の電極保持具１２は、前記電極１０の上部をキャップ状に覆う一対の保持部１４と該保持部１４を繋ぐ連繋部１６とから形成されている。該連繋部１６はその両端を一対の保持部１４の上部と接続することで連繋部１６を垂直方向に幅狭として、前記連繋部１６の下面と保持部１４とで凹部を形成することで電気分解で発生する気泡や時間経過とともに付着堆積する電解析出物が該凹部に付着、堆積することで電極１０には付着、堆積し難く、電気分解を阻害することがなくなる。また、図１の（ａ）は電極保持具１２の側面図でその連繋部１６を図１の（ｂ）乃至（ｄ）の如く、（ｂ）中央部に１本の水平方向に幅狭の連繋部１６を設けたり、（ｃ）幅狭の２本の連繋部１６を保持部１４の両端に平行に設けたり、（ｄ）幅狭の２本の連繋部１６を保持部１４の両端に交差させて設けたりすることで電気分解で発生する気泡や時間経過とともに付着堆積する電解析出物が付着、堆積し難いようにしている。これら図１の（ｂ）乃至（ｄ）の連繋部１６は四角柱形状でも良いが、円柱形状にすることでさらに電気分解で発生する気泡や時間経過とともに付着堆積する電解析出物が付着、堆積し難いようにしている。
図２は本発明に係る第２の実施形態であって、一対の電極１０を保持する樹脂製の電極保持具１２は、前記電極１０の上部をキャップ状に覆う一対の保持部１４と該保持部１４を繋ぐ連繋部１６とから形成されている。該連繋部１６はその両端を一対の保持部１４の上部と接続することで連繋部１６を垂直方向に幅狭として、前記連繋部１６の下面と保持部１４とで凹部を形成することで電気分解で発生する気泡や時間経過とともに付着堆積する電解析出物が該凹部に付着、堆積することで電極１０には付着、堆積し難く、電気分解を阻害することがなくなる。そして、図２の（ａ）の如く連繋部１６を円柱形状に形成し、その外周を螺旋状のネジリ形状の溝にしたり、図２の（ｂ）の如く連繋部１６を四角柱形状に形成し、その側面に垂直方向に切欠き溝を設けることで電気分解で発生する気泡や時間経過とともに付着堆積する電解析出物が付着、堆積し難いようにしている。図３は本発明に係る第３の実施形態であって、一対の電極１０を保持する樹脂製の電極保持具１２は、前記電極１０の上部をキャップ状に覆う一対の保持部１４と該保持部１４を繋ぐ連繋部１６とから形成されている。そして前記連繋部１６を逆Ｕ字状に形成している。これにより電気分解で発生する気泡や時間経過とともに付着堆積する電解析出物が付着、堆積し難いようにしている。
図４は本発明に係る第４の実施形態であって、一対の電極１０を保持する樹脂製の電極保持具１２は、前記電極１０の上部をキャップ状に覆う一対の保持部１４と該保持部１４を繋ぐ連繋部１６とから形成されている。そして前記保持部１４を上部に向けてテーパ状に形成している。これにより電気分解で発生する気泡や時間経過とともに付着堆積する電解析出物が付着、堆積し難いようにしている。
【０００８】
【発明の効果】
以上説明した如く、本発明に係る電極保持具によれば、電気分解で発生する気泡や時間経過とともに付着堆積する電解析出物によって電気分解を阻害され難く、良好な電気分解を行うことができる。
【図面の簡単な説明】
【図１】本発明の実施形態に係る第１の実施形態の電極保持具の概略図である。
【図２】本発明の実施形態に係る第２の実施形態の電極保持具の概略図である。
【図３】本発明の実施形態に係る第３の実施形態の電極保持具の概略図である。
【図４】本発明の実施形態に係る第４の実施形態の電極保持具の概略図である。
【図５】従来の電極保持具を有する水回路の概略図である。
【図６】従来の電解時の電極保持具の概略図である。
【図７】従来の時間経過した時の電極保持具の概略図である。
【符号の説明】
１０    電極
１２    電極保持具
１４    保持部
１６    連繋部
【図１】
2004202389.tif 000003
【図２】
2004202389.tif 000004
【図３】
2004202389.tif 000005
【図４】
2004202389.tif 000006
【図５】
2004202389.tif 000007
【図６】
2004202389.tif 000008
【図７】
2004202389.tif 000009